(57)【特許請求の範囲】
【請求項１】
装置本体に着脱自在に装着されるバッテリーセットを先ず放電することなく直接充電し、或いは前記バッテリーセットを先ず放電してから充電する外部充放電装置であって、
前記バッテリーセットを充電するための電力を供給する直流電源と、
前記バッテリーセットの放電用の負荷と、
ターンオン時に前記バッテリーセットを前記直流電源により充電される接続状態にする第１のスイッチと、
ターンオン時に前記バッテリーセットを前記負荷により放電される接続状態にする第２のスイッチと、
前記バッテリーセットから検知される電圧レベルが事前決定値より大きい場合には前記第１、第２のスイッチをそれぞれターンオフ、ターンオンし、その他の場合には前記第１、第２のスイッチをそれぞれターンオン、ターンオフするスイッチ制御部と、
前記バッテリーセットの放電後に前記バッテリーセットから検知される電圧レベルが前記事前決定値より小さく、前記スイッチ制御部が前記第１、第２のスイッチをそれぞれターンオン、ターンオフしたときに、前記電圧レベルを前記事前決定値より小さな値に維持するための制御信号を前記スイッチ制御部に出力して前記第１のスイッチをターンオン状態に保持させ、前記バッテリーセットが前記装置本体から取り外されたときに、前記スイッチ制御部への前記制御信号の出力を停止し、前記バッテリーセットから検知される電圧レベルに応じて前記スイッチ制御部を前記第１のスイッチの制御が可能な状態にする充電保持部と、
を少なくとも備えて成ることを特徴とする外部充放電装置。
【請求項２】
前記スイッチ制御部は、前記バッテリーセットから検知される電圧レベルを前記事前決定値と比較するための比較手段から成り、前記電圧レベルが前記事前決定値より大きい場合には、前記比較手段の出力により前記第１、第２のスイッチをそれぞれターンオフ、ターンオンし、それ以外の場合には前記比較手段の出力により前記第１、第２のスイッチをそれぞれターンオン、ターンオフすることを特徴とする請求項１に記載の外部充放電装置。
【請求項３】
前記比較手段は、
前記バッテリーセットから検知される電圧レベルを前記事前決定値と比較する第１の比較器と、
前記バッテリーセットから検知される電圧レベルを前記第１の比較器の出力と比較する第２の比較器と、
を備えて成り、
前記バッテリーセットから検知される電圧レベルが前記第１の比較器の出力より大きい場合には、前記第１、第２のスイッチをそれぞれターンオフ、ターンオンし、それ以外の場合には前記第１、第２のスイッチをそれぞれターンオン、ターンオフすることを特徴とする請求項２に記載の外部充放電装置。
【請求項４】
前記スイッチ制御部は、
前記バッテリーセットから検知される電圧レベルを前記事前決定値と比較する第１の比較器と、
前記バッテリーセットから検知される電圧レベルを前記第１の比較器の出力と比較する第２の比較器と、
前記第１の比較器の出力を前記バッテリーセットから検知される電圧レベルと比較する第３の比較器と、
を備えて成り、
前記第１の比較器の出力が前記バッテリーセットから検知される電圧レベルより大きい場合には、前記第２のスイッチをターンオンするための信号を前記第３の比較器から出力し、それ以外の場合には、前記第１のスイッチをターンオンするための信号を前記第２の比較器から出力することを特徴とする請求項１に記載の外部充放電装置。
【請求項５】
前記充電保持部は、
前記バッテリーセットから検知される電圧レベルが前記事前決定値より小さい場合に、前記制御信号を出力して前記第１のスイッチをターンオン状態に維持する電圧引落し部と、
前記バッテリーセットが前記装置本体から取り外されると、前記制御信号の出力を停止して、前記バッテリーセットから検知される電圧レベルに応じて前記スイッチ制御部を前記第１のスイッチの制御が可能な状態にするリセット部と、
を備えて成ることを特徴とする請求項１ないし４のいずれかに記載の外部充放電装置。
【請求項６】
前記直流電源は、外部の電圧源から受信した電圧を直流の定電流源に変換するための変換器から成ることを特徴とする請求項１ないし５のいずれかに記載の外部充放電装置。
【請求項７】
前記バッテリーセットを先ず放電することなく直接充電する、或いは、前記バッテリーセットの電圧レベルが前記事前決定値より大きい場合には前記バッテリーセットを先ず放電してから充電する、のいずれかを選択操作するための、自動充放電許可部をさらに備えていることを特徴とする請求項１ないし６のいずれかに記載の外部充放電装置。
【請求項８】
装置本体に着脱自在に装着されるバッテリーセットを先ず放電することなく直接充電し、或いは前記バッテリーセットを先ず放電してから充電する外部充放電装置であって、
前記バッテリーセットを充電するための電力を供給する直流電源と、
前記バッテリーセットの放電用の負荷と、
ターンオン時に前記バッテリーセットを前記直流電源により充電される接続状態にする第１のスイッチと、
ターンオン時に前記バッテリーセットを前記負荷により放電される接続状態にする第２のスイッチと、
前記バッテリーセットから検知される電圧レベルに比例したサンプリングレベルを提供するサンプラーと、
前記サンプリングレベルを事前決定値と比較する第１の比較器と、前記サンプリングレベルを前記第１の比較器の出力と比較する第２の比較器と、前記第１の比較器の出力を前記サンプリングレベルと比較する第３の比較器とを備えて成り、前記サンプリングレベルが前記事前決定値より大きい場合には、前記第１の比較器の出力が前記サンプリングレベルより小さく、前記第３の比較器の出力により前記第２のスイッチをターンオンし、それ以外の場合には、前記第２の比較器の出力により前記第１のスイッチをターンオンするスイッチ制御部と、
前記バッテリーセットを先ず放電することなく直接充電する、或いは、前記サンプリングレベルが前記事前決定値より大きい場合には前記バッテリーセットを先ず放電してから充電する、のいずれかを選択操作するための自動充放電許可部と、
前記サンプリングレベルが前記事前決定値より小さく、前記スイッチ制御部が前記第２のスイッチをターンオフして前記第１のスイッチをターンオンすると、前記サンプラーからの出力を前記事前決定値より小さな値に維持するための制御信号を出力して前記スイッチ制御部に前記第１のスイッチをターンオン状態に保持させ、前記バッテリーセットが前記装置本体から取り外されると、前記制御信号の出力を停止して、前記サンプリングレベルに応じて前記スイッチ制御部を前記第１のスイッチの制御が可能な状態にする充電保持部と、
を少なくとも備えて成ることを特徴とする外部充放電装置。
【請求項９】
前記充電保持部は、
出力が前記サンプラーに接続され、入力が前記第１の比較器の出力に接続された電圧引落し部と、
前記バッテリーセットが前記装置本体から取り外されると、前記制御信号の出力を停止し、前記バッテリーセットから検知される電圧レベルに応じて前記スイッチ制御部を前記第１のスイッチの制御が可能な状態にするリセット部と、
を備えて成り、
前記サンプリングレベルが前記事前決定値より小さく、前記第１の比較器が許可信号を出力すると、前記電圧引落し部は前記制御信号を出力し、前記サンプリングレベルを引き落として前記事前決定値よりも小さいレベルに維持し、前記スイッチ制御部を経て前記第１のスイッチをターンオン状態に保持することを特徴とする請求項８に記載の外部充放電装置。
【請求項１０】
前記リセット部は、前記電圧引落し部と電源との間に接続された開閉装置から成り、前記バッテリーセットが前記装置本体に装着されると、前記バッテリーセットから検出される電圧レベルの信号を受信してターンオン状態になり、前記電源からの電力を前記電圧引落し部に供給し、前記バッテリーセットが前記装置本体から取り外されると、ターンオフ状態になって前記電源から前記電圧引落し部への電力を遮断し、前記電圧引落し部からの前記制御信号の出力を停止することを特徴とする請求項９に記載の外部充放電装置。
【請求項１１】
前記電圧引落し部は、ＰＮＰトランジスタと、及びＮＰＮトランジスタとを少なくとも備えてなり、前記ＰＮＰトランジスタは、コレクタ及びエミッタが、前記ＮＰＮトランジスタのベース及び前記リセット部にそれぞれ接続されており、前記ＮＰＮトランジスタは、コレクタが前記ＰＮＰトランジスタのベース及び前記リセット部に接続され、エミッタが接地されていることを特徴とする請求項９または１０に記載の外部充放電装置。
【請求項１２】
前記自動充放電許可部は、前記サンプラーからの出力と接地基準との間に接続されたセレクターから成り、前記バッテリーセットを先ず放電することなく直接充電する場合にはターンオンされ、前記サンプラーのサンプリングレベルを前記事前決定値より小さいレベルまで引き落とし、前記第１のスイッチをターンオンすることを特徴とする請求項８ないし１１のいずれかに記載の外部充放電装置。
【請求項１３】
前記直流電源は、外部の電圧源から受信した電圧を直流の定電流源に変換するための変換器から成ることを特徴とする請求項８ないし１２のいずれかに記載の外部充放電装置。
【発明の詳細な説明】
【０００１】
【発明の属する技術分野】
本発明は、バッテリーセットの充電装置に関するもので、特に、バッテリーセットを先ず放電することなく直接充電し、或いはバッテリーセットを先ず放電してから充電するための外部充放電装置に関するものである。
【０００２】
【従来の技術】
ノート型パソコンのバッテリーセットの充電に使用される従来の充電装置は、バッテリーセットの電圧レベルに関係なく、バッテリーセットを先ず放電することなく直接充電することしかできない。しかしながら、予め有効に放電することなく充電を繰り返すと、バッテリーセットの効率が低下し、バッテリーセットの寿命が短くなってしまう。
【０００３】
一般に、ノート型パソコンのバッテリーセットには、Ｇａｓ−Ｇａｕｇｅを伴った検知用の集積回路が装備されており、これは、バッテリーセットの残留容量（電圧レベル）を検知するのに使用される。
【０００４】
【発明が解決しようとする課題】
しかしながら、ほとんどのユーザーは、バッテリーセットの残留容量が充電に適したレベルまで減少するのを待たずにバッテリーセットを充電するため、結果としてバッテリーセットの寿命が縮み、Ｇａｓ−Ｇａｕｇｅによる電圧検知の信頼性が損なわれる。
【０００５】
以上より、本発明の目的は、バッテリーセットを先ず放電することなく直接充電し、或いはバッテリーセットを先ず放電してから充電する外部充放電装置を提供することにある。
【０００６】
また、本発明のもうひとつの目的は、バッテリーセットを先ず放電することなく直接充電するか、或いはバッテリーセットを先ず放電してから充電するかを、必要に応じてユーザーが選択できる外部充放電装置を提供することにある。
【０００７】
【課題を解決するための手段】
上記目的を達成するため、本発明は、前記バッテリーセットを充電するための電力を供給する直流電源と、前記バッテリーセットの放電用の負荷と、ターンオン時に前記バッテリーセットを前記直流電源により充電される接続状態にする第１のスイッチと、ターンオン時に前記バッテリーセットを前記負荷により放電される接続状態にする第２のスイッチと、前記バッテリーセットから検知される電圧レベルが事前決定値より大きい場合には前記第１、第２のスイッチをそれぞれターンオフ、ターンオンし、その他の場合には前記第１、第２のスイッチをそれぞれターンオン、ターンオフするスイッチ制御部と、前記バッテリーセットの放電後に前記バッテリーセットから検知される電圧レベルが前記事前決定値より小さく、前記スイッチ制御部が前記第１、第２のスイッチをそれぞれターンオン、ターンオフしたときに、前記電圧レベルを前記事前決定値より小さな値に維持するための制御信号を前記スイッチ制御部に出力して前記第１のスイッチをターンオン状態に保持させ、前記バッテリーセットが前記装置本体から取り外されたときに、前記スイッチ制御部への前記制御信号の出力を停止し、前記バッテリーセットから検知される電圧レベルに応じて前記スイッチ制御部を前記第１のスイッチの制御が可能な状態にする充電保持部と、を少なくとも備えて成る外部充放電装置を提供する。
【０００８】
このような構成によれば、バッテリーセットの放電後にこのバッテリーセットから検知される電圧レベルが事前決定値より小さい場合には、スイッチ制御部により、第２のスイッチがターンオフされると共に第１のスイッチがターンオンされる。すると、充電保持部により制御信号が出力され、これを受けたスイッチ制御部により、第１のスイッチがターンオン状態に保持される。
【０００９】
そして、バッテリーセットが装置本体から取り外されると、充電保持部からの制御信号の出力が停止されるため、スイッチ制御部は再び、バッテリーセットから検知される電圧レベルに応じて第１のスイッチの制御が可能な状態になる。
【００１０】
また、本発明は、前記バッテリーセットを先ず放電することなく直接充電する、或いは、前記バッテリーセットの電圧レベルが前記事前決定値より大きい場合には前記バッテリーセットを先ず放電してから充電する、のいずれかを選択操作するための、自動充放電許可部をさらに備えていることを特徴とする外部充放電装置を提供する。
【００１１】
このような構成によれば、ユーザが自動充放電許可部を選択操作することで、バッテリーセットを先ず放電することなく直接充電するか、或いは前記バッテリーセットを先ず放電してから充電するかを、必要に応じて選ぶことができる。
【００１２】
【発明の実施の形態】
本発明の一実施形態について図１及び図２を参照しつつ詳しく説明する。図１は一実施形態における外部充放電装置の結線図であり、図２は図１の外部充放電装置のより具体的な構成を示す実施例の結線図である。
【００１３】
図１に示すように、外部充放電装置は、直流電源１０と、負荷１１と、第１のスイッチ１２と、第２のスイッチ１３と、スイッチ制御部１４と、自動充放電許可部１５と、及び充電保持部１６とを備えている。
【００１４】
直流電源１０は、図示しない装置本体に着脱自在に装着されたバッテリーセット１８を充電するための電力を供給する。スイッチ制御部１４により、第１のスイッチ１２がターンオンされ、第２のスイッチ１３がターンオフされると、バッテリーセット１８が直流電源１０により充電される接続状態となる。反対に、スイッチ制御部１４により、第１のスイッチ１２がターンオフされ、第２のスイッチ１３がターンオンされると、バッテリーセット１８は例えば抵抗器から成る負荷１１により放電される接続状態となる。
【００１５】
スイッチ制御部１４は、バッテリーセット１８の電圧レベル（ＶＢ）を検知し、検知した電圧レベル（ＶＢ）と事前決定値（ＳＴ）とを比較し、検知した電圧レベル（ＶＢ）が事前決定値（ＳＴ）より大きい場合には、第１、第２のスイッチ１２、１３をそれぞれターンオフ、ターンオンし、それ以外の場合には第１、第２のスイッチ１２、１３をそれぞれターンオン、ターンオフする。
【００１６】
自動充放電許可部１５は、バッテリーセット１８を先ず放電することなく直接充電するか、或いは前記バッテリーセットを先ず放電してから充電するかを、ユーザーが選択できるように操作するためのものである。
【００１７】
充電保持部１６は、以下の動作を行う。すなわち、バッテリーセット１８の放電後、スイッチ制御部１４により検知した電圧レベル（ＶＢ）が事前決定値（ＳＴ）よりも小さい場合には、スイッチ制御部１４は、第１、第２のスイッチ１２、１３をそれぞれターンオン、ターンオフする。そうすると、充電保持部１６がスイッチ制御部１４に制御信号（ＰＤ）を出力し、これを受信したスイッチ制御部１４は、第１のスイッチ１２をターンオン状態に保持する。
【００１８】
バッテリーセット１８が装置本体（図示せず）から取り外されると、リセット信号（ＲＳ）がストローブされ、スイッチ制御部１４への制御信号（ＰＤ）はリセット（又は消去）される。このように、スイッチ制御部１４は、再び電圧レベル（ＶＢ）と事前決定値（ＳＴ）とを比較した結果に応じて、第１のスイッチ１２を制御することが可能な状態になる。
【００１９】
図２は、図１に示す外部充放電装置の各部の構成を、より具体化した実施例を示すものである。以下では、図２を参照して更に詳しい説明を行う。
【００２０】
図２に示すように、直流電源１０は、例えば定電流変換器から成り、１１０Ｖ／２２０Ｖ交流電源等の外部電圧源３０からの電力を、定電流の直流に変換してバッテリーセット１８に供給する。負荷１１は、少なくとも１つの抵抗器より構成される。充電制御部２４は、バッテリーセット１８の温度及び電圧レベルを検知し、充電又は放電アラームや基準電圧などの、関連の処理データを提供するのに使用される。
【００２１】
第１のスイッチ１２及び第２のスイッチ１３は、共にＰチャネルＭＯＳトランジスタ（以下、ＰＭＯＳトランジスタと称する）から成る。第１のスイッチ１２がターンオン状態になると、バッテリーセット１８は直流電源１０により充電される。第２のスイッチ１３がターンオン状態になると、バッテリーセット１８は前荷１１を通じて放電される。ここで、第１のスイッチ１２がターンオン時には第２のスイッチ１３がターンオフ状態、第２のスイッチ１３がターンオン時には第１のスイッチ１２がターンオフ状態となる。
【００２２】
サンプラー２０は、２つの抵抗器Ｒ１及びＲ２を備えてなり、バッテリーセット１８の電圧レベル（ＶＢ）に比例したサンプリングレベル（ＶＲＥＦ）を提供するのに使用され、このサンプリングレベル（ＶＲＥＦ）に基づいてバッテリーセット１８の電圧レベル（ＶＢ）が検知されることになる。
【００２３】
スイッチ制御部１４は、サンプリングレベル（ＶＲＥＦ）と充電制御部２４により予め設定された事前決定値（ＳＴ）と比較する第１の比較器１４ａと、サンプリングレベル（ＶＲＥＦ）と第１の比較器１４ａの出力信号（Ｖａ）とを比較する第２の比較器１４ｂと、第１の比較器１４ａの出力信号（Ｖａ）とサンプリングレベル（ＶＲＥＦ）とを比較する第３の比較器１４ｃと、により構成される。
【００２４】
自動充放電許可部１５はセレクターにより構成され、例えば本実施形態ではセレクトボタンから成る。自動充放電許可部１５は、サンプラー２０からの出力と、接地基準との間に設置されている。ユーザーは、自動充放電許可部１５をオン操作してバッテリーセット１８を先ず放電することなく直接充電するか、或いは自動充放電許可部１５をオフ状態のままにしてバッテリーセット１８を先ず放電してから充電するか、いずれかの方法を選択することができる。
【００２５】
次に、本実施例を、バッテリーセット１８を先ず放電することなく直接充電する場合と、バッテリーセット１８を先ず放電してから充電する場合とに分け、それぞれ詳しい説明を行う。
【００２６】
先ず、バッテリーセット１８を放電することなく直接充電する場合の動作について説明する。自動充放電許可部１５を構成するセレクトボタンをオン操作して自動充放電許可部１５を起動させ、バッテリーセット１８を先ず放電することなく直接充電する方法を選択する。このとき、自動充放電許可部１５のオンにより、サンプラー２０の出力であるサンプリングレベル（ＶＲＥＦ）は接地される。事前決定値（ＳＴ）はサンプリングレベル（ＶＲＥＦ）より大きいため、第１の比較器１４ａは高電圧レベル「Ｈ」の出力信号（Ｖａ）を出力する。第１の比較器１４ａの出力（Ｖａ）もまたサンプリングレベル（ＶＲＥＦ）より大きいため、第２の比較器１４ｂは高電圧レベル「Ｈ」の出力信号（Ｖｂ）を、そして第３の比較器１４ｃは低電圧レベル「Ｌ」の出力信号（Ｖｃ）をそれぞれ出力する。
【００２７】
その結果、図２に示すように、ＮチャネルＭＯＳトランジスタ（以下、ＮＭＯＳトランジスタと称する）Ｎ１は、第２の比較器１４ｂからの高電圧レベル「Ｈ」の出力（Ｖｂ）を受けてターンオンされるが、ＮＭＯＳトランジスタＮ２は第３の比較器１４ｃからの低電圧レベル「Ｌ」の出力（Ｖｃ）を受けるためターンオンされない。したがって、ＰＭＯＳトランジスタから成る第１のスイッチ１２がターンオンされ、直流電源１０によりバッテリーセット１８が充電される。
【００２８】
次に、バッテリーセット１８を先ず放電してから充電する場合の動作について説明する。いま、自動充放電許可部１５を構成するセレクトボタンを押さず、バッテリーセット１８を放電してから充電する方法を選択する。このとき、自動充放電許可部１５はオフ状態のままであるため、サンプラー２０の出力であるサンプリングレベル（ＶＲＥＦ）はバッテリーセット１８の電圧レベルに比例したレベルに維持される。
【００２９】
そして、サンプリングレベル（ＶＲＥＦ）が事前決定値（ＳＴ）より大きい場合には、第１の比較器１４ａは低電圧レベル「Ｌ」の出力信号（Ｖａ）を出力する。第１の比較器１４ａの出力（Ｖａ）もまたサンプリングレベル（ＶＲＥＦ）より小さいため、第２の比較器１４ｂは低電圧レベル「Ｌ」の出力信号（Ｖｂ）を、第３の比較器１４ｃは高電圧レベル「Ｈ」の出力信号（Ｖｃ）をそれぞれ出力する。
【００３０】
その結果、ＮＭＯＳトランジスタＮ２は前記第３の比較器１４ｃからの高電圧レベル「Ｈ」の出力（Ｖｃ）を受けてターンオンされるが、ＮＭＯＳトランジスタＮ１は第２の比較器１４ｂからの低電圧レベル「Ｌ」の出力（Ｖｂ）を受けるためターンオンされない。したがって、ＰＭＯＳトランジスタから成る第２のスイッチ１３がターンオンされ、抵抗型負荷１１を通じてバッテリーセット１８が放電される。
【００３１】
続いて、バッテリーセット１８の放電後、バッテリーセット１８の電圧レベル（ＶＢ）、及びサンプラー２０の出力であるサンプリングレベル（ＶＲＥＦ）は、ともに低下する。サンプリングレベル（ＶＲＥＦ）が事前決定値（ＳＴ）よりも小さくなると、第１の比較器１４ａの出力（Ｖａ）の電圧レベルは、低電圧レベル「Ｌ」から高電圧レベル「Ｈ」に変化する。第２及び第３の比較器１４ｂ及び１４ｃの出力（Ｖｂ及びＶｃ）の電圧レベルは、それぞれ高電圧レベル「Ｈ」及び低電圧レベル「Ｌ」に変化する。
【００３２】
その結果、ＮＭＯＳトランジスタＮ２がオン状態からオフ状態に切り換わるため、ＰＭＯＳトランジスタから成る第２のスイッチ１３がターンオフされ、バッテリーセット１８の放電が停止する。さらに、ＮＭＯＳトランジスタＮ１がオフ状態からオン状態に切り換わるため、第１のスイッチ１２のＰＭＯＳトランジスタがターンオンされ、バッテリーセット１８の充電動作がスタートする。
【００３３】
このとき、バッテリーセット１８を放電するのに使用された負荷１１が、前記第２のスイッチ１３がターンオフされることにより、回路的にバッテリーセット１８から切り離される。しかしながら、負荷１１が切り離されると、バッテリーセット１８の電圧レベル（ＶＢ）が急増するため、サンプラー２０の出力であるサンプリングレベル（ＶＲＥＦ）もまた増加する。もし、ここでサンプリングレベル（ＶＲＥＦ）が事前決定値（ＳＴ）よりも大きくなってしまうと、第２のスイッチ１３が再度ターンオンされ、バッテリーセット１８の放電が再スタートする。その結果、バッテリーセット１８の放電と充電とが周期的に繰り返され、必要な電圧レベルまで充電されない。
【００３４】
このような不都合を解決するために、充電保持部１６を設けている。図２に示すように、充電保持部１６は、電圧引落し部１６ａと、及びリセット部１６ｂとにより構成される。この電圧引落し部１６ａは、その出力がサンプラー２０の出力に接続され、入力が第１の比較器１４ａの出力（Ｖａ）に接続されている。
【００３５】
バッテリーセット１８の放電後、サンプラー２０の出力であるサンプリングレベル（ＶＲＥＦ）が事前決定値（ＳＴ）より小さい場合には、第１の比較器１４ａは、許可信号として高電圧レベル「Ｈ」の出力信号（Ｖａ）を出力し、電圧引落し部１６ａを起動させる。すると、電圧引落し部１６ａは制御信号（ＰＤ）を出力し、サンプリングレベル（ＶＲＥＦ）を事前決定値（ＳＴ）より小さいレベルのままに維持させる。
【００３６】
その結果、負荷１１が回路的にバッテリーセット１８から切り離され、バッテリーセット１８の電圧レベル（ＶＢ）が急増した場合にも、サンプリングレベル（ＶＲＥＦ）が常に事前決定値（ＳＴ）より小さい値に維持されているため、第１のスイッチ１２をターンオン状態に維持することができる。こうして、バッテリーセット１８を好ましい電圧レベルまで充電することができる。
【００３７】
図２に示すように、電圧引落し部１６ａは、リセット部１６ｂを経て電圧源２２に接続されており、電圧引落し部１６ａのＰＮＰトランジスタＱＰと、及びＮＰＮトランジスタＱＮと、を少なくとも備えている。ＰＮＰトランジスタＱＰは、コレクタ及びエミッタが、ＮＰＮトランジスタＱＮのベース及びリセット部１６ｂにそれぞれ接続されている。ＮＰＮトランジスタＱＮは、コレクタがＰＮＰトランジスタＱＰのベース及びリセット部１６ｂに接続され、エミッタが接地されており、さらにベース−エミッタ間にはコンデンサＣが接続されている。
【００３８】
そして、バッテリーセット１８の放電後、サンプラー２０の出力であるサンプリングレベル（ＶＲＥＦ）が事前決定値（ＳＴ）より小さい場合には、第１の比較器１４ａは許可信号、すなわち高電圧レベル「Ｈ」の出力信号（Ｖａ）を出力し、ＮＰＮトランジスタＱＮをターンオンする。電圧引落し部１６ａのＰＮＰトランジスタＱＰ及びＮＰＮトランジスタＱＮは、シリコン制御整流器と同等の構成を形成しており、ここから出力される制御信号（ＰＤ）は低電圧レベルを維持しているため、サンプリングレベル（ＶＲＥＦ）を引き落とすことができる。
【００３９】
バッテリーセット１８が装置本体から取り外されると、リセット部１６ｂは、制御信号（ＰＤ）の出力を停止する（消去／不能にする）ことにより、スイッチ制御部１４は、再びサンプリングレベル（ＶＲＥＦ）と事前決定値（ＳＴ）との比較結果に応じて第１のスイッチ１２を制御可能な状態になる。
【００４０】
このとき、図２に示すように、リセット部１６ｂは、ＰＮＰトランジスタにより構成される開閉装置であり、電圧引落し部１６ａと電圧源２２との間に接続されている。
【００４１】
バッテリーセット１８が装置本体に装着されると、リセット部１６ｂは、前記バッテリーセット１８からの分圧レベル信号（ＲＳ）を受信し、ターンオンされる。こうして、電圧源２２から電圧引落し部１６ａに、リセット部１６ｂを経て電力が供給される。バッテリーセット１８が装置本体から取り外されると、リセット部１６ｂは、バッテリーセット１８から分圧レベル信号（ＲＳ）を受信できなくなるため、ターンオフされる。こうして、電圧引落し部１６ａから電圧源２２が切り離され、制御信号（ＰＤ）を出力する出力端が浮動状態になるため、サンプリングレベル（ＶＲＥＦ）は引き落とされない。
【００４２】
なお、以上に好ましい実施の形態を開示したが、これらは決して本発明の範囲を限定するものではなく、当該技術に熟知した者ならば誰でも、本発明の趣旨を脱しない範囲内で各種の変更を加えてもよいのは勿論である。
【００４３】
【発明の効果】
以上の説明から分かるように、本発明にかかる外部充放電装置によれば、バッテリーセットから検知される電圧レベルに応じ、その電圧レベルが事前決定値より小さい場合には、バッテリーセットを先ず放電することなく直接充電することができ、その電圧レベルが事前決定値より大きい場合には、バッテリーセットを先ず放電してから充電することができ、バッテリーセット内部の電圧検知器の信頼性を向上することができると共に、バッテリーセットの長寿命化を図ることができる。
【００４４】
しかも、バッテリーセットが本体装置から取り外されても、バッテリーセットから検知される電圧レベルに応じて、スイッチ制御部を第１のスイッチの制御が可能な状態にしてすることができるため、バッテリーセットの電圧レベルに応じ、バッテリーセットを先ず放電することなく直接充電し、或いはバッテリーセットを先ず放電してから充電することが可能である。
【００４５】
また、コンピュータのユーザーは、自動充放電許可部を選択操作することによって、バッテリーセットを先ず放電することなく直接充電するか、或いはバッテリーセットを先ず放電してから充電するかを、必要に応じて選択することができるため、バッテリーセット内部の電圧検知器の信頼性、及びバッテリーセット自身の寿命の向上を図ることができる。
【図面の簡単な説明】
【図１】本発明の一実施形態における外部充放電装置の結線図である。
【図２】本発明の外部充放電装置をより具体化した実施例の詳細な結線図である。
【符号の説明】
１０    直流電源
１１    負荷
１２    第１のスイッチ
１３    第２のスイッチ
１４    スイッチ制御部
１４ａ    第１の比較器
１４ｂ    第２の比較器
１４ｃ    第３の比較器
１５    自動充放電許可部
１６    充電保持部
１６ａ    電圧引落し部
１６ｂ    リセット部
１８    バッテリーセット
２０    サンプラー
２２    電圧源
３０    外部電圧源
Ｒ１、Ｒ２    抵抗器
ＶＢ    バッテリーセットの電圧レベル
ＶＲＥＦ    電圧レベルに比例したサンプリングレベル
ＰＤ    電圧引落しの制御信号
ＲＳ    リセット信号
【図１】
0003591824.tif 000002
【図２】
0003591824.tif 000003